(57)【特許請求の範囲】
【請求項１】
左右１対の支柱の対向面間に、上下方向に分割された複数の背面部材を取付けてなる、商品陳列棚における背面部材の取付構造であって、
前記１対の支柱の対向面に係止孔を穿設し、それぞれの係止孔に、前記対向面と平行をなす基片の前後縁に、左右方向の内側に向けて１対の挟持片を設けるとともに、前記前後の挟持片間に支持部を設け、かつ前記基片の外側面に係止部を設けて形成した保持部材を係止し、上下の背面部材を、前記前後の挟持片をもって挟持するとともに、上側の背面部材を、前記支持部をもって支持し、前記保持部材における支持部を、前後の挟持片のほぼ中央部に渡設した前後方向を向く棒材をもって形成したことを特徴とする背面部材の取付構造。
【請求項２】
前記上側の背面部材の左右下端縁を、前記保持部材における基片の内側面と、支持部である棒材との間に装着可能な楔形状としたことを特徴とする請求項１記載の背面部材の取付構造。
【発明の詳細な説明】
【技術分野】
【０００１】
本発明は、商品陳列棚における背面部材等のパネルの取付構造に関し、特に商品陳列棚における左右１対の支柱間に、上下方向に複数の背面部材を取付ける場合に有用な技術に関する。
【背景技術】
【０００２】
デパートやスーパーマーケット、その他の店舗等において使用される商品陳列棚には各種のものがあり、１つの商品陳列棚において、上下方向に複数設けられた棚毎に、異なる種類の商品が陳列される場合も多い。
【０００３】
この場合、陳列された商品に応じて、その棚の背面部材を、たとえば、不透明ないし透明なパネル、ルーバーパネル、金網などの異なるパネルとし、陳列効果を向上させる試みがなされている。
【０００４】
このように上下方向に種類の異なる各種パネルを保持する方法として、一般に中段連結材が使用されている（たとえば、特許文献１）。
特許文献１には、陳列棚における左右の支柱の間に架設した上下１対の保持桟に、表示板を取付けるようにした表示板取付装置において、前記保持桟を、角管状をなし、かつ下面に長手方向のスリットを、上面に長手方向の凹溝を設けた左右方向の連結材の両端部に、側面視下向きまたは上向きのコ字形をなす係止片を嵌合固着したものとし、前記各係止片から外方へ突設した前後１対のフックを、各支柱の対向面の所要位置に設けた前後１対のスリットに挿入係止するとともに、上下に対向するスリットと凹溝内に、表示板の上下縁をそれぞれ嵌入してなる技術が開示されている。
【０００５】
しかし、前記技術の場合、中段連結材を設けることによって、見栄えも必ずしも良好なものではないばかりでなく、コスト高となっていた。
【特許文献１】実公平４−３９７５０号公報（第１図参照）
【発明の開示】
【発明が解決しようとする課題】
【０００６】
本発明は、前記の現状に鑑み、種類の異なる上下の背面部材の境界に、中段連結材のような見栄えの面から、好ましくないものを用いることなく、コスト上も廉価であり、かつ、たとえば上側の背面部材が金属製であって重量が大きく、下側の背面部材が薄肉の合成樹脂製であって耐荷重が小さい場合においても、上側の背面部材の荷重が下側の背面部材に負荷されることがない背面部材の取付構造を提供することを目的とする。
【課題を解決するための手段】
【０００７】
上記課題は、特許請求の範囲における各請求項に示すように、下記の構成を備える発明によって解決される。
(１)  左右１対の支柱の対向面間に、上下方向に分割された複数の背面部材を取付けてなる、商品陳列棚における背面部材の取付構造であって、前記１対の支柱の対向面に係止孔を穿設し、それぞれの係止孔に、前記対向面と平行をなす基片の前後縁に、左右方向の内側に向けて１対の挟持片を設けるとともに、前記前後の挟持片間に支持部を設け、かつ前記基片の外側面に係止部を設けて形成した保持部材を係止し、上下の背面部材を、前記前後の挟持片をもって挟持するとともに、上側の背面部材を、前記支持部をもって支持し、前記保持部材における支持部を、前後の挟持片のほぼ中央部に渡設した前後方向を向く棒材をもって形成する。
【０００８】
(２)  上記(１)項において、前記上側の背面部材の左右下端縁を、前記保持部材における基片の内側面と、支持部である棒材との間に装着可能な楔形状とする。
【発明の効果】
【０００９】
本発明によると、次のような効果が奏せられる。
請求項１記載の発明によれば、左右の支柱間に渡設される中段連結材に代えて、上下の背面部材における左右の上下端縁を挟持する保持部材を用いるため、見栄えに優れるとともに、コスト上も廉価であり、かつ上側の背面部材が、保持部材における支持部によって支持されるため、上側の背面部材の荷重が、下側の背面部材に負荷されることがない。そのため、たとえば、耐荷重が小さい薄肉の透明性合成樹脂製の背面部材の上側に、重量が大きい金属製のルーバーパネルの背面部材を設けることも何ら支障なく行うことができる。したがって、上下の背面部材の材質の選択などの自由度が大きくなる。
【００１０】
また保持部材に、支持部を容易に形成できるとともに、基片と、棒材からなる支持部との間に、間隙が形成されているため、その間隙内に、背面部材の下端縁の左右端を下方に突出させて、その突出部分を、前記間隙内に嵌入させることにより、背面部材を、容易に位置を定めて、安定性よく保持することができる。
【００１１】
請求項２記載の発明によれば、楔作用によって、商品陳列棚のぐらつきが防止され、強固なものとなる。
【発明を実施するための最良の形態】
【００１２】
以下、本発明の実施形態を、図面に基づいて説明する。
【実施例１】
【００１３】
図１は、本発明の背面部材の取付構造を備える商品陳列棚の分解斜視図である。
【００１４】
本発明の商品陳列棚(１)は、左右１対の支柱(２)(２)の対向面(３)(３)間に、上下方向に分割された複数の背面部材(４)を取付けて構成されている。上下に配列される背面部材(４)は、前記のように、材質や形状が全く異なるものを用いることができるが、本実施例においては、すべての背面部材が同じ材質よりなり、ほぼ同じ形状を有している。
【００１５】
図２は、図１における円Ａ部分の拡大斜視図、図３は、図１における円Ａ部分の拡大正面図であり、一部を破断して示す。
【００１６】
図１〜図３に示すように、左右１対の支柱(２)(２)は、下部連結部材(５)によって相互に連結されている。
【００１７】
各支柱(２)における対向面(３)の下部には、前後２列の縦向きスリット状の係止孔(6a)(6a)が穿設されている。
【００１８】
下部連結部材(５)は、側面視下向きコ字状の連結杆(5a)の左右端に、前後１対の下向きの係止部(5b)(5b)を設けて形成されており、前記係止部(5b)(5b)を、支柱(２)の係止孔(6a)(6a)に係止することにより、左右１対の支柱(２)(２)が、下部連結部材(５)により連結されている。
【００１９】
上下に配列される背面部材(４)は、下方から上方に向けて、順次、支柱(２)に取付けられる。
【００２０】
最下段の背面部材(７)は、次の手順で取付けられる。
まず、背面部材(７)の下端両側の下向突縁(7a)を、下部連結部材(５)の上面に、左右方向に設けられた嵌合溝(5c)内に嵌入する。
【００２１】
次いで、背面部材(７)の上端両側の上向突縁(7b)を、保持部材(８)により、下記のようにして支柱(２)に固定する。
【００２２】
図４は、図１における円Ｂ部分の分解拡大斜視図、図５は、同じく、図１における円Ｂ部分の要部縦断正面図であり、一部を破断して示す。
【００２３】
図１、図４、図５に示すように、保持部材(８)は、支柱(２)(２)における対向面(３)と直交する基片(8a)の前後縁に、左右方向の内側方を向く上下１対の挟持片(8b)(8b)を設け、この前後の挟持片(8b)(8b)間に、前後方向を向く棒材からなる支持部(8c)を渡設し、かつ前記基片(8a)の外側面に、上下１対の下向きの係止部(8d)(8d)を設けている。
【００２４】
保持部材(８)は、その上下１対の係止部(8d)(8d)を、支柱(２)の対向面(３)に設けた係止孔(6a)に係止することにより、支柱(２)に取付けられるようになっている。
【００２５】
下向突縁(7a)を、下部連結部材(５)の嵌合溝(5c)に嵌入させた前記背面部材(７)の上端左右の上向突縁(7b)を、前記保持部材(８)における前後の挟持片(8b)(8b)をもって挟持して、保持部材(８)を、係止部(8d)(8d)により、支柱(２)に係止する。
【００２６】
このようにして、背面部材(７)の上下の突縁(7a)(7b)は、それぞれ保持部材(８)および嵌合溝(5c)により固定され、最下段の背面部材(７)は、左右の支柱(２)(２)間に取付けられる。
【００２７】
中段の背面部材(９)は、次の手順により取付けられる。
図１、図４、図５に示すように、中段の背面部材(９)の左右端の下向突縁(9a)を、前記保持部材(８)における前後の挟持片(8b)(8b)間に、上方から嵌入して、両挟持片(8b)(8b)により挟持させるとともに、棒状の支持部(8c)により支持させる。
【００２８】
背面部材(９)の下向突縁(9a)の左右端は、保持部材(８)における基片(8a)の内側面と、棒状の支持部(8c)との間に装着可能な楔形状に形成されており、楔作用によって、背面部材(９)は、左右の支柱(２)(２)間に強固に取付けられ、商品陳列棚(１)のぐらつきが防止されるようになっている。
【００２９】
背面部材(９)の上向突縁(9b)(9b)の左右間隔は、最下段の背面部材(７)における上向突縁(7b)(7b)の左右間隔と等しく、保持部材(10)によって、支柱(２)に固定される。
【００３０】
上下の保持部材(８)(10)における挟持片(8b)(10a)は、いずれも正面視において、縦長四辺形をなし、前側の挟持片が、後部の挟持片よりも小さく形成されている。そのため、保持部材(８)(10)は目立たず、商品陳列棚(１)の正面視における見栄えが向上するとともに、棚に載置された商品が、背面部材(７)(９)の前面に当たり、後向きの負荷を受け易い背面部材(７)(９)を、大きい後部の挟持片により、前向きに堅固に支持することができる。
【００３１】
次に、最上段の背面部材(11)は、次の手順により取付けられる。
背面部材(11)の左右の下向突縁(11a)は、前記中段の背面部材(９)の場合と同様に、保持部材(10)における前後の挟持片(10a)(10a)間に嵌入され、支持部(10b)によって支持されている。
【００３２】
背面部材(11)の上縁の上向突縁(11b)は、次のようにして支柱(２)に固定される。
【００３３】
図６は、図１における円Ｃ部分の拡大斜視図、図７は、同じく、図１における円Ｃ部分の拡大正面図であり、一部を破断して示す。
【００３４】
図１、図６、図７に示すように、背面部材(11)の上向突縁(11b)の左右端には、上端固定具(12)が取付けられている。
【００３５】
上端固定具(12)は、平面視において、左右方向の内向きのほぼ三角形状をなす基板(12a)と、その基板(12a)の下面に、基板(12a)の左右方向の外側縁に沿って平行に設けられた下向きコ字状の取付用脚片(12b)とにより形成されている。
【００３６】
基板(12a)は、取付用脚片(12b)を左右外側に突出させた状態で、背面部材(11)の上向突縁(11b)の左右端に溶着されている。
【００３７】
前記取付用脚片(12b)は、長四辺形の断面を有する中空管で形成されている支柱(２)の管状部(2a)に、緊縛状態で嵌合し得るように形成されており、この取付用脚片(12b)を、支柱(２)の上方から管状部(2a)に嵌合させることにより、背面部材(11)の上端は支柱(２)に固定される。
【００３８】
上記説明のように、各背面部材(７)(９)(11)は、相互に独立して支柱(２)に取付けられ、上段の背面部材(11)(９)の荷重が、下段の背面部材(９)(７)に負荷されることはない。
【図面の簡単な説明】
【００３９】
【図１】本発明の背面部材の取付構造を備える商品陳列棚の分解斜視図である。
【図２】図１における円Ａ部分の拡大分解斜視図である。
【図３】図１における円Ａ部分を一部破断して示す拡大正面図である。
【図４】図１における円Ｂ部分の拡大分解斜視図である。
【図５】図１における円Ｂ部分を一部破断して示す拡大正面図である。
【図６】図１における円Ｃ部分の拡大斜視図である。
【図７】図１における円Ｃ部分の拡大断面図である。
【符号の説明】
【００４０】
(１)商品陳列棚
(２)支柱
(2a)管状部
(３)対向面
(４)背面部材
(５)下部連結部材
(5a)連結杆
(5b)係止部
(5c)嵌合溝
(6a)(6b)係止孔
(７)背面部材
(7a)下向突縁
(7b)上向突縁
(８)保持部材
(8a)基片
(8b)挟持片
(8c)支持部
(8d)係止部
(９)背面部材
(9a)下端縁
(9b)上端縁
(10)保持部材
(10a)挟持片
(10b)支持部
(11)背面部材
(11a)下向突縁
(11b)上向突縁
(12)上端固定具
(12a)基板
(12b)取付用脚片
【図１】
0004652722.tif 000002
【図２】
0004652722.tif 000003
【図３】
0004652722.tif 000004
【図４】
0004652722.tif 000005
【図５】
0004652722.tif 000006
【図６】
0004652722.tif 000007
【図７】
0004652722.tif 000008